(57)【要約】【課題】本発明は、高い足指の持ち上げ効果を備えるとともに、着用時に爪先の位置が靴下内部でずれにくい、つまずき防止用靴下およびその編成方法を提供することを目的とする。【解決手段】靴下の側面の一端側から他端側に向けてウェール方向の編目列が連続するとともに、足甲部にインレイで挿入された弾性糸が、爪先側で折り返されて指裏部に回り込み、指裏部にタックで接続されて弾性収縮部を形成することで、着用時に足の指裏部から爪先を介して足甲部まで連続する弾性糸が通ることになり、足指を効果的に持ち上げる。【選択図】図１
2013002008.tif 000002
【特許請求の範囲】
【請求項１】
横編機を用いて編成される靴下であって、ウェール方向の編目列は該靴下の側面の一端側から他端側に向けて連続するとともに、足甲部にインレイにより挿入された弾性糸が、爪先側で折り返されて指裏部に回り込み、指裏部にタックで接続されて弾性収縮部を形成することを特徴とする、靴下。
【請求項２】
前記靴下は、５本指形状や足袋形状などの少なくとも２本の指袋を有する靴下であることを特徴とする、請求項２に記載の靴下。
【請求項３】
少なくとも前後一対の針床を有し、針床間で編目の目移しが可能な横編機を用いて靴下を側面から編成する方法であって、以下のステップにより編成を行うことを特徴とする；
ａ）靴下の長手方向が針床の長手方向に対して平行となるようにして、靴下を側面の一端側から編み出すステップ、
ｂ）爪先側で折り返すようにして、靴下を前後の針床でＣ字状に編成するステップ、
ｃ）靴下の足甲部にインレイにより弾性糸を挿入する編成と、該弾性糸を靴下の指裏部にタックで接続する編成とを、爪先側で折り返すようにして交互に行って弾性収縮部を形成するステップ、
ｄ）靴下の側面の他端側において足甲部と足底部とを接続して閉じるステップ。
【発明の詳細な説明】
【技術分野】
【０００１】
本発明は、横編機を用いて編まれるつまずき防止用靴下に関する。
【背景技術】
【０００２】
歩行時のつまずきを防止する手段として、着用者の爪先を反らすようにして持ち上げる靴下が知られている。例えば特許文献１では、足甲部の単位長さあたりのコース数を足底部のそれよりも少なくすることで、着用時に足甲部の編地が収縮して足指を持ち上げる靴下が開示されている。
【先行技術文献】
【特許文献】
【０００３】
【特許文献１】特開２００８−３８２５７号公報
【発明の概要】
【発明が解決しようとする課題】
【０００４】
しかし、前記従来方法の靴下では、着用後しばらくすると足甲部の編地の収縮により靴下の内部で爪先の位置がずれていき、最終的に足底部の編地側に着用者の爪先が当接することになって、足指を持ち上げる効果が低下するという問題があった。
【０００５】
本発明は、上記事情に鑑みてなされたものであり、高い足指の持ち上げ効果を備えるとともに、着用時に爪先の位置が靴下内部でずれにくい、つまずき防止用靴下およびその編成方法を提供することを目的とする。
【課題を解決するための手段】
【０００６】
本発明は、横編機を用いて編成される靴下であって、ウェール方向の編目列は該靴下の側面の一端側から他端側に向けて連続するとともに、足甲部にインレイにより挿入された弾性糸が、爪先側で折り返されて指裏部に回り込み、指裏部にタックで接続されて弾性収縮部を形成することを特徴とする、靴下である。
【０００７】
また本発明は、５本指形状や足袋形状などの少なくとも２本の指袋を有する靴下であることを特徴とする靴下である。
【０００８】
また本発明は、少なくとも前後一対の針床を有し、針床間で編目の目移しが可能な横編機を用いて靴下を側面から編成する方法であって、以下のステップにより編成を行うことを特徴とする。
ａ）靴下の長手方向が針床の長手方向に対して平行となるようにして、該靴下の側面の一端側から編み出すステップ、
ｂ）爪先側で折り返すようにして、靴下を前後の針床でＣ字状に編成するステップ、
ｃ）靴下の足甲部にインレイにより弾性糸を挿入する編成と、該弾性糸を靴下の指裏部にタックで接続する編成とを、爪先側で折り返しながら交互に行うことで弾性収縮部を形成するステップ、
ｄ）靴下の側面の他端側において足甲部と足底部とを接続して閉じるステップ。
【０００９】
ここで、側面の一端側とは足甲部からすね部分に延びる編地と足底部からふくらはぎ部分に延びる編地との境界のうち靴下の一方の側面に位置するものを示し、同様に側面の他端側とは前記境界のうち靴下の他方の側面に位置するものを示す。
【発明の効果】
【００１０】
本発明では、ウェール方向の編目列が靴下の側面の一端側から他端側に向けて連続するとともに、足甲部にインレイにより挿入された弾性糸が、爪先側で折り返されて指裏部に回り込み、指裏部にタックで接続されて弾性収縮部を形成する、つまずき防止用靴下を得られる。従って、着用時に足の指裏部から爪先を介して足甲部まで連続する弾性糸が通ることになり、高い足指の持ち上げ効果が得られる。履き口側あるいは爪先側から編成する従来の靴下に、弾性糸を編みこんで本発明と同じ部分に収縮する弾性組織を形成することも可能であるが、このような弾性組織は縦横に収縮するものであり、本発明のように靴下の長手方向（縦方向）に対して強い収縮力を形成することは困難である。さらに、本発明では靴下の指裏部に弾性糸をタックで接続するので、弾性糸がインレイにより挿入される足甲部の方が収縮率は高くなり、足指をより効果的に持ち上げることができる。また、タック接続した編目組織は天竺組織よりも滑り止めの効果が高く、着用時に足指と靴下がずれにくくなり、足指を持ち上げる効果が低下しない。なおこの明細書で、靴下に関する記載はそのまま靴下の編成方法にも当てはまり、逆に靴下の編成方法に関する記載はそのまま靴下にも当てはまる。
【００１１】
また、５本指形状や足袋形状などの少なくとも２本の指袋を有する靴下に本発明を適用することで、さらに足指の靴下への固定効果が高まる。
【図面の簡単な説明】
【００１２】
【図１】本発明の実施例におけるつまずき防止用靴下の外観および断面図を示す図である。
【図２】本発明の実施例におけるつまずき防止用靴下の編成図である。
【図３】本発明の実施例におけるつまずき防止用靴下の編成図である。
【図４】本発明の他の実施例におけるつまずき防止用靴下の外観を示す図である。
【発明を実施するための形態】
【００１３】
以下、本発明の実施例として、つまずき防止用靴下およびその編成方法について説明する。以下の説明で編成に使用する横編機は、前後一対の針床を備えた２枚ベッド横編機であり、後針床が前針床に対してラッキング可能で、針床の上方に複数の給糸口を有するものである。なお、針床の長手方向とは横編機の左右方向のことであり、キャリッジが走行する方向でもある。
【実施例】
【００１４】
図１は、本発明の実施例におけるつまずき防止用靴下１の外観を示す図である。図１（Ａ）は靴下１を爪先６の斜め前方から見たときの外観を示し、図１（Ｂ）は靴下１を側面の一端側７から見たときのＸ−Ｘ断面図を示す。靴下１は、履き口４から踵５を経由して爪先６に至る長手方向に対して直交するように、側面の一端側７から他端側８に向かってウェール方向の編目列が形成されている。つまり、靴下１は前記横編機により側面の一端側７から編み出され、足甲部２および足底部３などを編成した後、側面の他端側８で公知の伏目処理を施すことで形成される。また、靴下１の足甲部２には図中の矢印Ｌに沿って弾性糸１１がインレイで挿入されており、足甲部２に挿入された弾性糸１１は爪先６で折り返されて、指裏部１０で靴下１の編地にタックで接続されている。そして、１本の弾性糸１１が靴下１の表裏に折り返しながら複数回平行に編み込まれて、足甲部２にインレイ挿入部９ａを、指裏部１０にタック接続部９ｂを形成している。これらインレイ挿入部９ａとタック接続部９ｂからなる弾性収縮部９により、靴下１には足指を持ち上げる効果が生じる。
【００１５】
図２，図３は、本発明の実施例におけるつまずき防止用靴下１の編成図である。編成図において、図中左側の数字は編成ステップ（Ｓ）を示し、左右方向の矢印は編成方向を、上下方向の矢印は目移し方向を示し、ＦＢは前針床を、ＢＢは後針床を示す。大文字のＡ〜ＷはＦＢの編針を、小文字のａ〜ｗはＢＢの編針を示す。また、黒丸印はその編成ステップで形成される新たな編目または目移しされる編目を、Ｖ印およびΛ印はタックまたは掛け目を示す。なお、その編成ステップでの編成に関係せず、編針に係止されたままの編目については破線の丸印で示す。また、弾性糸１１の挿入に関する編成ステップでは、前コースで前後の針床間に渡された編糸または弾性糸１１を破線で示す場合がある。符号１２，１３は給糸口を示し、図示しないキャリッジに連行されて編成方向に移動して、編針に編糸を供給する。実施例では、靴下１の編成に給糸口１２を用い、弾性糸１１の供給に給糸口１３を用いる。なお、編成図では、説明の便宜のため、針数を実際の編成より少なくするとともに、本発明の要部に直接関係しない踵５の編成については図示を省略している。
【００１６】
以下、図２，図３の編成ステップＳ１〜Ｓ１５について説明する。Ｓ１は靴下１の側面の一端側７における編み出し編成を示しており、ＦＢの１つおきの編針（編針Ａ，Ｃ，・・・，Ｕ，Ｗ）とＢＢの１つおきの編針（編針ｂ，ｄ，・・・，ｔ，ｖ）で交互に掛け目を形成する。続くＳ２，Ｓ３では、Ｓ１で掛け目した編針を用いて図中の右側が開口するようにＣ字状の編成を行う。なお、Ｃ字状の編成により形成される編地は、ＦＢ側が足甲部２、ＢＢ側が足底部３側となり、図中の左側に爪先６、右側に履き口４が形成される。Ｃ字状の編成を所望のコース数繰り返した後、Ｓ４でＦＢの編針Ｃ，Ｇ，ＫからＢＢの編針ｃ，ｇ，ｋにそれぞれの編目を目移しする。Ｓ５で図の右から左に向けて前後の針床間に弾性糸１１をインレイにより挿入した後、Ｓ６ではＳ３で形成した編目に続けて新たな編目を形成し、続くＳ７ではＳ４とは逆にＢＢの編針ｃ，ｇ，ｋからＦＢの編針Ｃ，Ｇ，Ｋにそれぞれの編目を目移しする。Ｓ４〜Ｓ７の編成により、弾性糸１１が足甲部２の編地に挿入されてインレイ挿入部９ａが形成される。なお、Ｓ５では図示を省略しているが、弾性糸１１をＦＦの編針Ｍ，Ｏ，Ｐなどにタックしてから挿入を開始すれば、以降の工程でタックした編針で編目を形成する際に弾性糸１１の始端を固定することができる。後述するＳ１３でも同様にして終端を固定できる。
【００１７】
Ｓ８では、Ｓ７で靴下１の爪先６側まで挿入した弾性糸１１を、折り返しながらＢＢの編針ｂ，ｆにタックする。そしてＳ９では、Ｓ２で形成した足底部３の編目に続けて新たな編目を形成することで、Ｓ８でタックした弾性糸１１が足底部３の指裏部１０に接続される（タック接続部９ｂ）。Ｓ１０で、Ｓ８とは１目ずらしたＢＢの編針ｄ，ｈに弾性糸１１をタックした後、Ｓ１１で足底部３の編目を形成して弾性糸１１を再び指裏部１０に接続する。Ｓ１２〜Ｓ１５は、Ｓ４〜Ｓ７の編成と給糸方向が異なるだけで同様の編成である。靴下１が所望の足幅となるまでこのような編成を繰り返した後、図示しない公知の伏目処理により靴下１の側面の他端側８を閉じる。Ｓ１５の後に、Ｓ２，Ｓ３のようなＣ字状の編成を所望のコース数繰り返してもよい。
【００１８】
以上の編成工程により、図１に示したつまずき防止用靴下１を得ることができる。本実施例によるつまずき防止用靴下１は、ウェール方向の編目列が側面の一端側７から他端側８に向けて連続するとともに、足甲部２にインレイにより挿入された弾性糸１１が、爪先６側で折り返されて指裏部１０にタックで接続されて弾性収縮部９を形成する。従って、着用時に指裏部１０から爪先６を介して足甲部２まで連続する弾性糸が通ることになり、高い足指の持ち上げ効果が得られる。さらに、本発明では靴下１の指裏部１０に弾性糸１１をタックで接続するので、弾性糸１１がインレイにより挿入される足甲部２の方が収縮率は高くなり、足指をより効果的に持ち上げることができる。また、タック接続した編目組織は天竺組織よりも滑り止めの効果が高く、着用時に足指と靴下１がずれにくくなり、足指を持ち上げる効果が低下しない。
【００１９】
なお、実施例では５本の足指を１つの指袋に納める先丸靴下の例を示したが、図４に示す様に指股１４を設けて親指用の第１指袋と他の指用の第２指袋とを有する足袋形状に形成してもよく、各指を個別に納める５本指靴下としてもよい。各指袋は個別に編み出し編成と伏目処理を行うことで形成できる。なお、指股１４の位置に弾性糸を挿入する必要はないので、弾性収縮部９は指袋毎に形成する。指袋は個別に形成する以外にも、指股１４から爪先６にかけて足甲部２と足底部３の間に編糸を交差させてこれらを接続し、指間に仕切りを有する一体的な指袋として形成してもよい。
【００２０】
また、実施例では踵５の編成を省略したが、足底部３の踵５に対応する部分で、側面の一端側７から足幅の半分の位置までに編幅を増やす編成を行い、以降側面の他端側８までに編幅を減らす編成を行うことで、膨らみを有する踵５を形成することが可能である。
【００２１】
また、実施例では２枚ベッド横編機を用いて対向する針床に目移し用の空き針を設けて編成する例を示したが、目移し用の針床を有する４枚ベッド横編機を用いれば空き針を設けなくても良い。本発明は上記実施例に限定されるものではなく、本発明の主旨に逸脱しない範囲において実施可能である。
【符号の説明】
【００２２】
１    靴下
２    足甲部
３    足底部
４    履き口
５    踵
６    爪先
７    側面の一端側
８    側面の他端側
９    弾性収縮部
９ａ  インレイ挿入部
９ｂ  タック接続部
１０  指裏部
１１  弾性糸
１２，１３  給糸口
１４  指股
１５  第１指袋
１６  第２指袋
【図１】
2013002008.tif 000003
【図２】
2013002008.tif 000004
【図３】
2013002008.tif 000005
【図４】
2013002008.tif 000006